(57)【要約】【課題】使用者が様々な大きさの開口を有する便座に対して使用しても安定して着座でき、メーカにとっても製造コストの高騰化を生じない補高便座を提供する。【解決手段】補高便座１は、洋風便器９０上に設けられて中央にＯ字状の開口９１ａが形成された便座９１上に載置され、着座面１２を便座９１よりも高くするものである。  この補高便座１は、着座面１２を形成する本体１１と、本体１１の裏面１４から突設され、開口９１ａにおける前方側の内縁に当接し得る第１リブ２１と、本体１１の裏面１４から突設され、開口９１ａにおける後方側の内縁に当接し得る第２リブ３１とを有する。第２リブ３１は、前後方向の位置を変更可能な調整リブである。【選択図】図２
2007181488.tif 000002
【特許請求の範囲】
【請求項１】
洋風便器上に設けられて中央にＯ字状又はＵ字状の開口が形成された便座上に載置され、着座面を該便座よりも高くする補高便座において、
前記着座面を形成する本体と、該本体の裏面から突設され、前記開口における前後方向の一方側の内縁に当接し得る第１リブと、該本体の裏面から突設され、該開口における該前後方向の他方側の内縁に当接し得る第２リブとを有し、
該第１リブ及び該第２リブの少なくとも一方は、該前後方向の位置を変更可能な調整リブであることを特徴とする補高便座。
【請求項２】
前記第１リブ及び前記第２リブの一方は前記調整リブであり、他方は前記本体の裏面に一体に設けられる固定リブである請求項１記載の補高便座。
【請求項３】
前記調整リブが前記本体の裏面に着脱可能とされている請求項１又は２記載の補高便座。
【請求項４】
前記本体の裏面には前記前後方向に整列する複数の嵌合穴が形成され、前記調整リブには各該嵌合穴と嵌合可能な嵌合部が形成されている請求項３記載の補高便座。
【請求項５】
前記本体の裏面には前記前後方向に整列する複数の雌ねじが形成され、前記調整リブには各該雌ねじと螺合可能な雄ねじが形成されている請求項３記載の補高便座。
【請求項６】
前記本体の裏面と前記調整リブとの間には両面テープが設けられている請求項３記載の補高便座。
【請求項７】
前記本体の裏面には前記前後方向に延びるレール溝が形成され、前記調整リブには該レール溝に嵌合する嵌合部が形成され、該本体と該調整リブとの間には該調整リブに付勢力を付与する付勢手段が設けられ、該付勢力により該調整リブがレール溝に沿って移動し、該便座の内縁又は外縁に押圧固定される請求項１又は２記載の補高便座。
【発明の詳細な説明】
【技術分野】
【０００１】
本発明は補高便座に関する。
【背景技術】
【０００２】
特許文献１に従来の補高便座が開示されている。この補高便座は、クッション性のある軟質材料からなる一体成形品であり、着座面を形成する本体と、本体の裏面の内縁側から下方に垂設されるフランジとを有する。
【０００３】
このような構成である従来の補高便座は、洋風便器上に設けられて中央にＯ字状又はＵ字状の開口が形成された便座上に載置され、着座面を便座よりも高くする。この際、補高便座は、フランジが便座の開口の内縁に当接し、便座に対して位置決め固定される。
【０００４】
このため、この補高便座は、例えば、老人、病人又は身障者等の弱者が洋風便器を使用する際の介護に利用される。そして、この補高便器は、洋風便器に腰掛けたり、洋風便器から立ち上がる際の動作を容易にしたり、座り心地を良くしたりして、洋風便器の使用時の快適性を向上させることができる。
【０００５】
【特許文献１】特許３５９７０９３号公報
【発明の開示】
【発明が解決しようとする課題】
【０００６】
しかし、上記従来の補高便座は、特定の大きさのフランジが本体に一体成形されているものであるため、補高便座のフランジが当接可能な大きさの開口が形成された便座に装着された場合にしか、便座に対して位置決め固定されない。一方、便座には、使用者の体格等に応じ、一般に大型、標準及び共用のものが存在し、これらは開口に大小を有している。
【０００７】
このため、補高便座を購入しようとする者は、使用している便座に適合したフランジをもつ補高便座を購入しなければならない。仮に便座に適合していないフランジをもつ補高便座を購入してしまった場合には、便座の開口の大きさと補高便座のフランジの大きさとが一致せず、フランジと開口の内縁との間にガタが生じてしまうという不具合が生じることが多かった。この場合、老人等の弱者は着座の姿勢が安定せず、危険でもある。この不具合には、介護用途に利用される補高便座の性質上、洋風便器の付属品として洋風便器と同時に購入されることが少ないという事情も影響している。
【０００８】
また、メーカとしては、便座の種類に応じた補高便座を用意しなければならず、製造コストの高騰化を生じてしまう。
【０００９】
本発明は、上記従来の実情に鑑みてなされたものであって、使用者が様々な大きさの開口を有する便座に対して使用しても安定して着座でき、メーカにとっても製造コストの高騰化を生じない補高便座を提供することを解決すべき課題としている。
【課題を解決するための手段】
【００１０】
本発明の補高便座は、洋風便器上に設けられて中央にＯ字状又はＵ字状の開口が形成された便座上に載置され、着座面を該便座よりも高くする補高便座において、
前記着座面を形成する本体と、該本体の裏面から突設され、前記開口における前後方向の一方側の内縁に当接し得る第１リブと、該本体の裏面から突設され、該開口における該前後方向の他方側の内縁に当接し得る第２リブとを有し、
該第１リブ及び該第２リブの少なくとも一方は、該前後方向の位置を変更可能な調整リブであることを特徴とする。
【００１１】
このような構成である本発明の補高便座は、便座上に載置され、着座面を便座よりも高くする。このため、この補高便座は、例えば、老人、病人又は身障者等の弱者が洋風便器を使用する際の介護に利用され、使用者が洋風便器に腰掛けたり、洋風便器から立ち上がる際の動作を容易にしたり、座り心地を良くしたりして、洋風便器の使用時の快適性を向上させることができる。
【００１２】
ここで、本発明の補高便座は、便座上に載置される際、下記のようにして位置決め固定のための調整が実施される。ここでは、第２リブのみが前後方向の位置を変更可能な調整リブである場合を例として説明する。
【００１３】
補高便座が載置される便座には、使用者の体格等に応じ、一般に大型、標準及び共用のものが存在し、これらは開口に大小を有している。このため、最初に、便座の中央に形成されたＯ字状又はＵ字状の開口の前後方向の長さを確認する。次に、便座の開口の前後方向の長さに対して、第１リブと第２リブとの間の長さが短くかつ差が最も小さくなるように、第２リブの前後方向の位置を変更して最適な位置に位置決めする。
【００１４】
このように処理された本発明の補高便座は、便座上に載置されると、本体の裏面から突設された第１リブ及び第２リブが便座の開口の前後方向の内縁に当接することとなる。この際、便座の開口の前後方向の長さに対して、第１リブと第２リブとの間の長さを短くかつ差を小さくすることができるので、補高便座の便座に対するガタを小さくしつつ、補高便座を便座に対して位置決め固定することができる。こうして、この補高便座は、開口に大小を有する各種の便座に対して、位置決め固定することが可能である。
【００１５】
このため、補高便座を購入しようとする者は、使用している便座に適合したフランジをもつ補高便座を購入しなくてもよい。また、補高便座の便座に対するガタを小さくできるので、老人等の弱者は着座の姿勢が安定し、安全に利用できる。
【００１６】
また、メーカとしては、便座の種類に応じた補高便座を用意しなくてもよくなり、製造コストの高騰化を生じない。
【００１７】
したがって、本発明の補高便座は、使用者が様々な大きさの開口を有する便座に対して使用しても安定して着座でき、メーカにとっても製造コストの高騰化を生じない。
【００１８】
補高便座の第１リブのみが前後方向の位置を変更可能な調整リブである場合も同様である。また、補高便座の第１、２リブが前後方向の位置を変更可能な調整リブである場合には、より細かな調節が可能である。
【００１９】
補高便座を構成する材料としては、ゴム、エラストマー、発泡ポリウレタン樹脂、軟質塩ビ樹脂、その他の軟質材料、ＡＢＳ樹脂、ＰＰ樹脂、その他の硬質材料等の一般的なものを採用可能である。軟質材料からなる補高便座の場合、クッション性や臀部の形状への追従性が高いので、着座の際の感触を快適にすることができる。
【００２０】
本発明の補高便座において、前記第１リブ及び前記第２リブの一方は前記調整リブであり、他方は前記本体の裏面に一体に設けられる固定リブであり得る。この場合、この補高便座は、本体と第１リブ又は第２リブとを一体成形できるので、構造の簡略化及び製造コストの低廉化を実現しつつ、本発明の効果を奏することができる。
【００２１】
本発明の補高便座において、前記調整リブは前記本体の裏面に着脱可能とされ得る。この場合、調整リブの前後方向の位置を変更する手段として、各種の一般的なものを採用することができ、本発明の効果を確実に奏することができる。
【００２２】
例えば、本発明の補高便座において、前記本体の裏面には前記前後方向に整列する複数の嵌合穴が形成され、前記調整リブには各該嵌合穴と嵌合可能な嵌合部が形成され得る。また、本発明の補高便座において、前記本体の裏面には前記前後方向に整列する複数の雌ねじが形成され、前記調整リブには各該雌ねじと螺合可能な雄ねじが形成され得る。さらに、本発明の補高便座において、前記本体の裏面と前記調整リブとの間には両面テープが設けられ得る。
【００２３】
これらの場合、本発明の補高便座は、調整リブの前後方向の位置を変更しつつ、本体の裏面に調整リブを着脱させることを容易かつ確実に実施できる。
【００２４】
また、本発明の補高便座において、前記本体の裏面には前記前後方向に延びるレール溝が形成され、前記調整リブには該レール溝に嵌合する嵌合部が形成され、該本体と該調整リブとの間には該調整リブに付勢力を付与する付勢手段が設けられ、該付勢力により該調整リブがレール溝に沿って移動し、該便座の内縁又は外縁に押圧固定され得る。
【００２５】
この場合、本発明の補高便座は、調整リブの前後方向の位置をレール溝及び付勢手段により細かく変更することができるので、補高便座の便座に対するガタを一層小さくすることができ、本発明の効果をより確実に奏することができる。
【発明を実施するための最良の形態】
【００２６】
以下、本発明を具体化した実施例１〜５を図面を参照しつつ説明する。
【実施例１】
【００２７】
図１に示すように実施例１の補高便座１は、洋風便器９０上に設けられて中央にＯ字状の開口９１ａが形成された便座９１上に載置されるものである。
【００２８】
補高便座１は、図２及び図３に示すように、発泡ポリウレタン樹脂が一体成形されてなるものであり、着座面１２を形成する本体１１と、本体１１の裏面１４の内縁側から下方に垂設されるフランジ１３とを有する。
【００２９】
また、補高便座１は、本体１１の裏面１４から一体に突設され、開口９１ａにおける前方側の内縁に当接し得る固定リブとしての第１リブ２１と、本体１１の裏面１４から突設され、開口９１ａにおける後方側の内縁に当接し得る調整リブとしての第２リブ３１とを有する。第２リブ３１は、図３に拡大して示すように、根元側に嵌合部３１ａが形成されており、本体１１の裏面１４に形成された前後方向に整列する複数の嵌合穴３１ｂ、３１ｃ、３１ｄと嵌合可能とされている。このため、補高便座１は、嵌合穴３１ｂ、３１ｃ、３１ｄのいずれか一体に第２リブ３１を嵌合させることにより、第２リブ３１の前後方向の位置を変更可能、かつ本体１１の裏面１４に着脱可能とされている。
【００３０】
このような構成である実施例１の補高便座１は、便座９１上に載置され、着座面１２を便座９１よりも高くする。このため、この補高便座１は、例えば、老人、病人又は身障者等の弱者が洋風便器９０を使用する際の介護に利用され、使用者が洋風便器９０に腰掛けたり、洋風便器９０から立ち上がる際の動作を容易にしたり、座り心地を良くしたりして、洋風便器９０の使用時の快適性を向上させることができている。
【００３１】
ここで、実施例１の補高便座１は、便座９１上に載置される際、下記のようにして位置決め固定のための調整が実施される。
【００３２】
補高便座１が載置される便座９１には、使用者の体格等に応じ、一般に大型、標準及び共用のものが存在し、これらは開口９１ａに大小を有している。このため、最初に、図５（ａ）に示すように、便座９１の中央に形成された開口９１ａの前後方向の長さＬ１を確認する。
【００３３】
次に、図５（ｂ）に示すように、便座９１の開口９１ａの前後方向の長さＬ１に対して、第１リブ２１と第２リブ３１との間の長さＬ２が短くかつ差が最も小さくなるように、嵌合穴３１ｂ、３１ｃ、３１ｄのいずれか一体を選択して、第２リブ３１を嵌合させる。実施例１の場合は、嵌合穴３１ｂを選択する。こうして補高便座１は、第２リブ３１の前後方向の位置を変更して最適な位置に位置決めし、第２リブ３１を本体の裏面に固定することができる。
【００３４】
このように処理された実施例１の補高便座１は、図５（ｃ）に示すように、便座９１上に載置されると、本体１１の裏面１４から一体に突設された第１リブ２１及び第２リブ３１が便座９１の開口９１ａの前後方向の内縁に当接することとなる。この際、便座９１の開口９１ａの前後方向の長さＬ１に対して、第１リブ２１と第２リブ３１との間の長さＬ２を短くかつ差を小さくすることができているので、補高便座１の便座９１に対するガタを小さくしつつ、補高便座１を便座９１に対して位置決め固定することができている。こうして、この補高便座１は、開口９１ａに大小を有する各種の便座に対して、位置決め固定することが可能となっている。
【００３５】
このため、補高便座１を購入しようとする者は、使用している便座９１の開口９１ａに適合した大きさのフランジ１３をもつ補高便座１を購入しなくてもよい。また、補高便座１の便座９１に対するガタを小さくできているので、老人等の弱者は着座の姿勢が安定し、安全に利用できる。
【００３６】
また、メーカとしては、便座９１の種類に応じた補高便座を用意しなくてもよくなっており、製造コストの高騰化を生じない。
【００３７】
したがって、実施例１の補高便座１は、使用者が様々な大きさの開口を有する便座に対して使用しても安定して着座でき、メーカにとっても製造コストの高騰化を生じない。
【００３８】
また、この補高便座１において、第１リブ２１が本体１１の裏面１４に一体に設けられる固定リブであることから、本体１１と第１リブ２１とを一体成形することが可能となている。このため、この補高便座１は、構造の簡略化及び製造コストの低廉化を実現しつつ、本発明の効果を奏することができている。
【００３９】
さらに、この補高便座１において、本体１１の裏面１４には前後方向に整列する複数の嵌合穴３１ｂ、３１ｃ、３１ｄが形成され、調整リブとしての第２リブ３１には各嵌合穴３１ｂ、３１ｃ、３１ｄと嵌合可能な嵌合部３１ａが形成されていることから、第２リブ３１の前後方向の位置を変更しつつ、本体１１の裏面１４に第２リブ３１を着脱させることを容易かつ確実に実施可能となっている。
【実施例２】
【００４０】
実施例２の補高便座２は、実施例１の補高便座１の第１リブ２１の代わりに、図６及び図７に示す第１リブ２２を採用するものである。その他の構成は実施例１の補高便座１と同様であるので、説明は省く。
【００４１】
第１リブ２２は、根元側に嵌合部２２ａが形成されており、本体１１の裏面１４に形成された前後方向に整列する複数の嵌合穴２２ｂ、２２ｃ、２２ｄと嵌合可能とされている。第１リブ２２及び嵌合穴２２ｂ、２２ｃ、２２ｄは、第２リブ３１及び嵌合穴３１ｂ、３１ｃ、３１ｄと略同一形状である。
【００４２】
このような構成である実施例２の補高便座２も便座９１上に載置され、実施例１の補高便座と同様の作用効果を奏することができている。
【００４３】
そして、実施例２の補高便座２は、嵌合穴２２ｂ、２２ｃ、２２ｄのいずれか一体と、嵌合穴３１ｂ、３１ｃ、３１ｄのいずれか一体との６通りの組合せの中から最適なものを選択して、第１リブ２２及び第２リブ３１を嵌合させることにより、便座９１の開口９１ａの前後方向の長さＬ１に対して、第１リブ２２及び第２リブ３１の間の長さを短くかつ最もガタの小さくすることができる。このため、この補高便座２は、より細かな調節が可能となっており、本発明の効果をより確実に奏することができている。
【実施例３】
【００４４】
実施例３の補高便座は、実施例１の補高便座１の第２リブ３１及び嵌合穴３１ｂ、３１ｃ、３１ｄの代わりに、図８に示す第２リブ３３及び雌ねじ３３ｂ、３３ｃ、３３ｄを採用するものである。その他の構成は実施例１の補高便座１と同様であるので、説明は省く。
【００４５】
第２リブ３３は円柱状のものであり、その根元側には、雄ねじ３３ａが形成されている。そして、雄ねじ３３ａは、本体１１の裏面１４に形成された前後方向に整列する複数の雌ねじ３３ｂ、３３ｃ、３３ｄと螺合可能とされている。また、第２リブ３３は、略矩形断面の角柱状のものであり、その根元側から円柱が突出し、その円柱に雄ねじ３３ａが形成されているものであってもよい。その場合、第２リブ３３は、雌ねじ３３ｂ、３３ｃ、３３ｄのいずれかに雄ねじ３３ａを螺合させたときに、丁度良い向きになるようにねじ込み量が設定されていることが好ましい。
【００４６】
このような構成である実施例３の補高便座も便座９１上に載置され、実施例１の補高便座１と同様の作用効果を奏することができている。。また、この補高便座は、実施例１の補高便座１に比べ、第２リブ３３をより確実に本体１１の裏面１４に固定することが可能となっている。
【実施例４】
【００４７】
実施例４の補高便座は、実施例１の補高便座１の第２リブ３１及び嵌合穴３１ｂ、３１ｃ、３１ｄの代わりに、図９に示す第２リブ３４及び両面テープ３４ｂを採用するものである。その他の構成は実施例１の補高便座１と同様であるので、説明は省く。
【００４８】
第４リブ３４の根元側には、両面テープ貼り付け面３４ａが形成されている。このため、この補高便座は、本体１１の裏面１４の任意の場所に、両面テープ３４ｂを介して第４リブ３４を貼り付け固定可能とされている。
【００４９】
このような構成である実施例４の補高便座も便座９１上に載置され、実施例１の補高便座１と同様の作用効果を奏することができている。また、この補高便座は、実施例１の補高便座１に比べ、第４リブ３４の位置をより細かな調節することが可能となっている。
【実施例５】
【００５０】
実施例５の補高便座５は、実施例１の補高便座１の第２リブ３１及び嵌合穴３１ｂ、３１ｃ、３１ｄの代わりに、図１０〜図１２に示す第２リブ３５、レール溝３５ｂ及び付勢手段としてのコイルバネ３５ｃを採用するものである。その他の構成は実施例１の補高便座１と同様であるので、説明は省く。
【００５１】
本体１１の裏面１４には、前後方向に延びるレール溝３５ｂが形成され、第２リブ３５の根元側には、レール溝３５ｂに嵌合する嵌合部３５ａが形成されている。また、レール溝３５ｂ内には、第２リブ３５に付勢力を付与するコイルバネ３５ｃが配設されている。そして、コイルバネ３５ｃの付勢力により、第２リブ３５がレール溝３５ｂに沿って後方側に移動するようになっている。
【００５２】
このような構成である実施例５の補高便座５も、図１２（ａ）に示すように、コイルバネ３５ｃを押し縮めて、第２リブ３５を前方側に移動させた状態とした後、図１２（ｂ）に示すように、便座９１上に載置される。この際、コイルバネ３５ｃの付勢力により第２リブ３５がレール溝３５ｂに沿って後方側に移動し、便座９１の内縁に押圧固定される。このため、この補高便座５は、実施例１の補高便座１と同様の作用効果を奏することができているとともに、細かな調節を予め実施する必要がなくなっており、取付作業の簡易化を図ることができている。
【００５３】
以上において、本発明を実施例１〜５に即して説明したが、本発明は上記実施例１〜５に制限されるものではなく、その趣旨を逸脱しない範囲で適宜変更して適用できることはいうまでもない。
【産業上の利用可能性】
【００５４】
本発明は補高便座に利用可能である。
【図面の簡単な説明】
【００５５】
【図１】実施例１の補高便座及び補高便座が載置される洋風便器の斜視図である。
【図２】実施例１の補高便座の概略断面図である。
【図３】実施例１の補高便座の下面図である。
【図４】実施例１の補高便座に係り、図２のＺ部を示す要部拡大断面図である。
【図５】実施例１の補高便座に係り、洋風便器に位置決め固定する手順を示す概略断面図である。
【図６】実施例２の補高便座の概略断面図である。
【図７】実施例２の補高便座の下面図である。
【図８】実施例３の補高便座に係り、図２のＺ部を示す要部拡大断面図である。
【図９】実施例４の補高便座に係り、図２のＺ部を示す要部拡大断面図である。
【図１０】実施例５の補高便座に係り、図２のＺ部を示す要部拡大断面図である。
【図１１】実施例５の補高便座に係り、図１０のＡ−Ａ断面図である。
【図１２】実施例５の補高便座に係り、洋風便器に位置決め固定する手順を示す概略断面図である。
【符号の説明】
【００５６】
１、２、５…補高便座
１１…本体
１２…着座面
１４…裏面
２１、２２…第１リブ
３１、３３、３４、３５…第２リブ
２２ａ、３１ａ、３５ａ…嵌合部
２２ｂ、２２ｃ、２２ｄ、３１ｂ、３１ｃ、３１ｄ…嵌合穴
３３ａ…雌ねじ
３３ｂ、３３ｃ、３３ｄ…雄ねじ
３４ｂ…両面テープ
３５ｂ…レール溝
３５ｃ…付勢手段（コイルバネ）
９０…洋風便器
９１…便座
９１ａ…開口
【図１】
2007181488.tif 000003
【図２】
2007181488.tif 000004
【図３】
2007181488.tif 000005
【図４】
2007181488.tif 000006
【図５】
2007181488.tif 000007
【図６】
2007181488.tif 000008
【図７】
2007181488.tif 000009
【図８】
2007181488.tif 000010
【図９】
2007181488.tif 000011
【図１０】
2007181488.tif 000012
【図１１】
2007181488.tif 000013
【図１２】
2007181488.tif 000014